(57)【要約】【課題】大型の表示画面に接眼レンズを取り付けてファインダーを構成するには、長い光路長や大型のレンズを使用するため、ファインダー自体が大型化してしまうという問題があった。【解決手段】ファインダー装置に於いて、前記ファインダー装置は少なくともベース部と接眼ユニットを有し、前記ベース部には第１の表示部が配置され、前記接眼ユニットには第２の表示部及び第２の表示部を拡大または縮小表示する接眼レンズを有し、前記ベース部に対し、前記接眼ユニットは第１の位置と第２の位置に遷移可能に構成され、前記第１の位置は前記第１の表示部を、前記接眼ユニットが覆い隠し、前記第２の位置は前記第１の表示部が表出する関係性を有している。【選択図】図３
2018124333.tif 000002
【特許請求の範囲】
【請求項１】
ファインダー装置に於いて、
前記ファインダー装置は少なくともベース部と接眼ユニットを有し、前記ベース部には第１の表示部が配置され、前記接眼ユニットには第２の表示部及び第２の表示部を拡大または縮小表示する接眼レンズを有し、
前記ベース部に対し、前記接眼ユニットは第１の位置と第２の位置に遷移可能に構成され、
前記第１の位置は前記第１の表示部を、前記接眼ユニットが覆い隠し、
前記第２の位置は前記第１の表示部が表出する関係性を有していることを特徴とする、ファインダー装置。
【請求項２】
請求項１に記載のファインダー装置に於いて、前記第１の位置から第２の位置への遷移動作は、回転部材による回動動作であることを特徴とするファインダー装置。
【請求項３】
請求項１に記載のファインダー装置に於いて、前記第１の位置に於いて、前記第１の表示部の画面中心と、前記第２の表示部の画面中心は実質一致していることを特徴とするファインダー装置。
【請求項４】
請求項１に記載のファインダー装置に於いて、前記第一の位置と第２の位置を検出する検出手段を有し、前記第一の位置に於いて第１の表示部を非表示にし、前記第２の位置に於いて第２の表示部を非表示にすることを特徴とするファインダー装置。
【発明の詳細な説明】
【技術分野】
【０００１】
本発明は撮像装置用ファインダー装置に関する。
【背景技術】
【０００２】
従来、業務用ビデオカメラのうち、特に肩に乗せて撮影を行うビデオカメラ用のファインダー装置として特許文献１のようなものが提案されていた。特許文献１の液晶表示パネルは概ね対角線長が３．５インチの大きさで構成されている。
【先行技術文献】
【特許文献】
【０００３】
【特許文献１】特開２０１１−８７２５５号公報
【発明の概要】
【発明が解決しようとする課題】
【０００４】
しかしながら、ビデオカメラの記録画像の高解像度化に伴い、表示部に求められる解像度は高く、表示領域の拡大が進んでいる。表示部が大きくなると、接眼レンズも比例して大きくなる。さらに表示部から接眼部までの距離も比例して大きくなるため、ファインダー自体が大型化してしまうという問題があった。
【０００５】
上記のような課題を鑑み、本発明に於けるビデオカメラは、大型の表示画面と接眼ファインダーを、小型に提供することを目的とする。
【課題を解決するための手段】
【０００６】
上述した課題を解決するために、本発明におけるファインダー装置は、ベース部と接眼ユニットからなり、前記ベース部には第１の表示部が配置され、前記接眼ユニットには第２の表示部及び第２の表示部を拡大または縮小表示する接眼レンズを有し、前記ベース部に対し、前記接眼ユニットは第１の位置と第２の位置に遷移可能に構成され、前記第１の位置は前記第１の表示部を、前記接眼ユニットが覆い隠し、前記第２の位置は前記第１の表示部が表出する関係性を有していることを特徴とする。
【発明の効果】
【０００７】
本発明によれば、大型の表示画面と接眼ファインダーを、小型に提供することができる。
【図面の簡単な説明】
【０００８】
【図１】デジタルビデオカメラ１０１の外観図。
【図２】デジタルビデオカメラ１０１の使用状態図。
【図３】ファインダー部１０５の外観図及び断面図。
【発明を実施するための形態】
【０００９】
＜第１の実施形態＞
図１（ａ）に本実施例におけるデジタルビデオカメラ１０１の外観図を示す。
以降の説明に用いる前後上下左右は図示の座標系ｘｙｚ  １０２に則る。ｘ方向の矢印方向が前、矢印と反対方向が後、ｙ方向の矢印方向が上、矢印と反対方向が下、ｚ方向の矢印方向が右、矢印と反対方向が左とする。
【００１０】
デジタルビデオカメラ１０１は一般的に業務用として使用されるレンズ交換式のビデオカメラで、主に本体部１０３と交換レンズ部１０４、ファインダー部１０５が図のように配置されている構成である。ファインダー部１０５は回転ヒンジ１０６を経由してファインダー取り付け部材１０７を介して本体部１０３上面に配置されたハンドル１０８に取り付けられるのは一般的な業務用ビデオカメラと同様の構成である。
【００１１】
図１  （ｂ）（ｃ）に本実施例におけるファインダー部１０５の外観図を示す。
ファインダー部１０５は前方にファインダーベース部１０９を有し、開閉ヒンジ１１０を介して後方に図の通り接眼ユニット１１１を有している。接眼ユニット１１１の後方にはアイカップ１１２を有しているのは一般的な接眼ファインダーと同様である。アイカップ１１２の略中央に接眼窓１１３を有し、後述のように接眼して映像確認が可能に構成されている。
【００１２】
図１  （ｄ）（ｅ）に（ｂ）（ｃ）から接眼ユニット１１１を開閉ヒンジ１１０を中心に回動した状態の図を示す。図の通り、接眼ユニット１１１は開閉ヒンジ１１０を中心に回動可能に構成され、回動された状態で露出するファインダーベース部１０９の後面側にはパネル表示部１１４を有する。パネル表示部１１４は一般的に３．５〜５インチ程度の液晶や有機ＥＬ等の表示手段で構成されている。
【００１３】
図２  （ａ）  （ｂ）にデジタルビデオカメラ１０１の使用状態図を示す。デジタルビデオカメラ１０１は一般的な業務用ビデオカメラと同様にビデオカメラの使用者２０１が図２（ａ）のように肩に乗せてアイカップ１１２に左目を接して撮影を行う使用形態と、図２（ｂ）のように三脚２０２にデジタルビデオカメラ１０１を搭載して、図のように後ろ面からビデオカメラの使用者２０１がデジタルビデオカメラ１０１を眺める使用形態がある。
【００１４】
図２（ｂ）の使用形態では、デジタルビデオカメラ１０１とビデオカメラの使用者２０１の距離が離れても画像が視認できるように、大きな画面での表示が望まれる。その際、本実施例のファインダー部１０５では、接眼ユニット１１１を回動して、パネル表示部１１４を表出させた図１（ｄ）（ｅ）の形態でパネル表示部１１４を視認可能になる。
【００１５】
図３（ａ）（ｂ）に図１（ｂ）の状態におけるファインダー部１０５の右側面図及び後ろ面図を示す。図３（ｃ）に図３（ｂ）のＡ−Ａ断面における断面模式図を示す。
接眼ユニット１１１には図のように接眼表示部３０１が配置されている。接眼表示部３０１は一般的なビデオカメラで使用される液晶表示装置等の手段で構成され、概ね０．５インチ程度の表示領域を有した表示手段である。接眼表示部３０１は、直視では表示領域が狭いため、接眼レンズ３０２によって拡大表示することが一般的である。拡大された表示を接眼窓１１３から視認可能に構成されているのは一般的なビデオカメラと同様の構成である。
【００１６】
接眼表示部３０１の前面側に接眼基板３０３が配置され、接眼基板３０３上に設けられたコネクタ３０４から接続ケーブル３０５が開閉ヒンジ１１０内を経由して接点３０６まで接続されている。接点３０６はファインダーベース部１０９と接眼ユニット１１１を分離する際に、接触・通電可能な電気接点である。接点３０６のファインダーベース部１０９側には接続ケーブル３０７が図のように配置され、ベース基板３０８に上に設けられたコネクタ３０９へ接続されている。ベース基板３０８にはパネル表示部１１４も図示の通り接続される。
【００１７】
ベース基板３０８は図示しないコネクタ等でデジタルビデオカメラ１０１の本体部１０３に接続されることにより、画像の表示等が可能に構成されている。この位置関係に於いて、パネル表示部１１４の中心と、接眼窓１１３及び接眼表示部３０１の画面中心は光軸３１０上で一致するように配置されている。
【００１８】
このように配置することで、接眼ユニット１１１を回動させてパネル表示部１１４を視認する際の使い勝手を、従来のビデオカメラのファインダー装置のように行うことが可能に構成される。接眼表示部３０１をはじめとする接眼ユニット１１１は開閉ヒンジ１１０を中心に回動する。
【００１９】
開閉ヒンジ１１０内に図示しない一般的な回動検知手段を設けることにより、図３のように接眼ユニット１１１がパネル表示部１１４を覆っている時は、接眼表示部３０１をオンにしパネル表示部１１４の表示をオフにし、パネル表示部１１４が表出している際は、接眼表示部３０１をオフにしてパネル表示部１１４をオンにする制御をおこなう等してもよい。
【符号の説明】
【００２０】
１０１  ・・・・  デジタルビデオカメラ
１０２  ・・・・  座標系ｘｙｚ  
１０３  ・・・・  本体部
１０４  ・・・・  交換レンズ部
１０５  ・・・・  ファインダー部
１０６  ・・・・  回転ヒンジ
１０７  ・・・・  ファインダー取り付け部材
１０８  ・・・・  ハンドル
１０９  ・・・・  ファインダーベース部
１１０  ・・・・  開閉ヒンジ
１１１  ・・・・  接眼ユニット
１１２  ・・・・  アイカップ
１１３  ・・・・  接眼窓
１１４  ・・・・  パネル表示部
２０１  ・・・・  ビデオカメラの使用者
２０２  ・・・・  三脚
３０１  ・・・・  接眼表示部
３０２  ・・・・  接眼レンズ
３０３  ・・・・  接眼基板
３０４  ・・・・  コネクタ
３０５  ・・・・  接続ケーブル
３０６  ・・・・  接点
３０７  ・・・・  接続ケーブル
３０８  ・・・・  ベース基板
３０９  ・・・・  コネクタ
３１０  ・・・・  光軸
【図１】
2018124333.tif 000003
【図２】
2018124333.tif 000004
【図３】
2018124333.tif 000005